(57)【要約】【課題】中間開口を開通した際に、十分な軸動力を確保することができる熱交換換気装置を提供することを目的とする。【解決手段】図１に示すように、箱状の枠体１内に、給気流と排気流の間で熱交換する熱交換器１１を設け、給気用送風装置６と排気用送風装置７とが１つの電動機８により駆動される熱交換換気装置であって、排気用通風路５内に熱交換器１１を経由せずに排気用通風接続口１ｂに通じる中間開口１２を形成し、この中間開口１２の入口をシャッター１３により開閉する構成とし、給気用通風路４内にダンパー１４を設け、このダンパー１４によって給気用通風路４の通風面積を調整する構成とすることにより、中間開口１２を開通した際に、十分な軸動力を確保することができる熱交換換気装置を提供できる。【選択図】図１
2007278565.tif 000002
【特許請求の範囲】
【請求項１】
屋外と連通した給気用ダクトと排気用ダクトに各々接続する給気用と排気用の通風接続口を有した箱状の枠体内に、給気用通風路と排気用通風路をそれぞれ独立して形成し、室内側に給気用吹き出し口と排気用吸い込み口を設け、前記給気用通風路内に給気流を形成する給気用送風装置を、前記排気用通風路内に排気流を形成する排気用送風装置とをそれぞれ設け、この給気用送風装置と排気用送風装置とが１つの電動機により駆動され、前記枠体内に給気流と排気流の間で熱交換する熱交換器を設けた熱交換換気装置であって、前記排気用通風路内に前記熱交換器を経由せずに排気用通風接続口に通じる中間開口を形成し、この中間開口の入口をシャッターにより開閉する構成とし、前記給気用吹き出し口から前記給気用通風接続口までの風路間にダンパーを設けた構成とし、前記ダンパーによって前記給気用通風路の通風面積を調整する構成とした熱交換換気装置。
【請求項２】
ダンパーを、板状にしてスライドさせる構成を特徴とした請求項１記載の熱交換換気装置。
【請求項３】
ダンパーを、回動させる構成を特徴とした請求項１記載の熱交換換気装置。
【請求項４】
ダンパーに、小孔を設けた構成を特徴とした請求項１〜３のいずれかに記載の熱交換換気装置。
【請求項５】
シャッターとダンパーが連動して動作することを特徴とした請求項１記載の熱交換換気装置。
【請求項６】
室内の煙を検知するセンサーを枠体内に設け、このセンサーの検知出力に応じて自動的にシャッターとダンパーが連動して動作を制御するようにした請求項１または５記載の熱交換換気装置。
【請求項７】
シャッターとダンパーが連動して一定時間経過後に自動的に閉鎖する構成とした請求項５または６記載の熱交換換気装置。
【請求項８】
排気用通風路内にシャッターを設けた請求項１記載の熱交換換気装置。
【請求項９】
本体の底面に給気用吹き出し口と排気用吸い込み口を設け、これに連通する位置に給気用吹き出し口の開口と排気用吸い込みの開口を設けた化粧パネルを取り付けた構成とした請求項８記載の熱交換換気装置。
【発明の詳細な説明】
【技術分野】
【０００１】
本発明は、給排気間で熱交換を行いながら換気する熱交換換気装置に関する。
【背景技術】
【０００２】
近年、省エネ機器のひとつとして熱交換換気装置が普及している。通常は給排気間で熱交換を行いながら換気を行うが、室内で喫煙したときなどにおいては、一時的に大風量の排気が必要とされる。
【０００３】
このため、従来、この種の熱交換換気装置としては、熱交換器を介する排気用通風路と給気用通風路とは別に、熱交換器を介さない急速排気用通風路を設け、その急速排気用通風路内に急速排気用送風装置と、急速排気用送風装置を駆動するための急速排気用電動機を本体内に組み込んでいるものがあった（例えば、特許文献１参照）。
【０００４】
以下、図５および図６を用いて説明する。
【０００５】
箱状に形成された本体１０１の室内側に、排気用吸い込み口１０２と給気用吹き出し口１０３および急速排気用吸い込み口１０４を設け、本体１０１内に排気流と給気流で熱交換する熱交換器１０５と、熱交換器１０５を介する排気用通風路１０６内には排気用送風装置１０７を設け、排気用送風装置１０７は電動機１１０により駆動させる。また、熱交換器１０５を介する給気用通風路１０８内には給気用送風装置１０９を設け、給気用送風装置１０９は電動機１１０により駆動される。一方、熱交換器１０５を介さない急速排気用通風路１１１内に急速排気用送風装置１１２を設け、急速排気用送風装置１１２は電動機１１３により駆動される。
【０００６】
上記構成において、熱交換換気装置を運転すると、電動機１１０が駆動し、排気用送風装置１０７および給気用送風装置１０９によって熱交換換気が行われる。一方、電動機１１３を同時に駆動させるとさらに急速排気用送風装置１１２が駆動することにより、大風量の排気が行われることになる。
【０００７】
また、この種の熱交換換気装置としては、排気用通風路内に熱交換器を経由せずに排気用通風接続口に通じる中間開口を形成し、この中間開口の入口をシャッターにより開閉する構成としたものがあった（例えば、特許文献２参照）。
【０００８】
以下、図７を用いて説明する。
【０００９】
箱状に形成された本体１１４の室内側に排気用吸い込み口１１５と給気用吹き出し口１１６を設け、本体１１４内に排気流と給気流で熱交換する熱交換器１１８と、熱交換器１１８を介する排気用通風路１１９内には排気用送風装置１２０を設け、排気用送風装置１２０は電動機１２１により駆動させる。また、熱交換器１１８を介する給気用通風路１２２内には給気用送風装置１２３を設け、給気用送風装置１２３は電動機１２１により駆動される。また、熱交換器１１８を経由しないで排気用通風路１１９に連絡する中間開口１１７を本体１１４に設け、この中間開口１１７はシャッター１２４により開閉される。
【００１０】
上記構成において、熱交換換気装置を運転すると、電動機１２１が駆動し、排気用送風装置１２０および給気用送風装置１２３によって熱交換換気が行われる。一方、さらにシャッター１２４を開くことにより、中間開口１１７が開放され、熱交換器１１８を経由しない室内空気の排気が行われることになり、熱交換器の圧力損失を伴わないので風量が増加するものである。
【特許文献１】特許第３１６５０１３号公報
【特許文献２】特開２０００−１０４９７０号公報
【発明の開示】
【発明が解決しようとする課題】
【００１１】
特許文献１のような従来の熱交換換気装置では、排気用送風装置だけでは大風量の排気が得られないため、急速排気用送風装置と電動機を別途設ける必要があった。このため部品点数が多くなり、コストが高くなるという課題があった。
【００１２】
また、特許文献２のような従来の熱交換換気装置では、電動機の軸動力設定を通常の熱交換器を経由した状態が最適となるように合わせ中間開口を開通した場合、排気用送風装置に掛かる負荷が増加するため十分な軸動力が得られないという課題があった。このため、中間開口を開通した際に電動機の軸動力を切り替えるか、もしくは、中間開口を開通した状態を最適な軸動力に設定する必要があったが、いずれの場合も、通常の熱交換器を経由した換気を行う場合に電動機の効率が悪くなるという課題があった。さらに、中間開口を通すると、室内側の空気の多くは熱交換器を経由せずに中間開口から吸い込まれるため、室外から吸い込まれた給気流が、十分に熱交換されないまま室内側に吹き出し、居室内の人に対してコールドドラフト感を与えやすいという課題があった。
【００１３】
本発明の熱交換換気装置はこのような従来の課題を解決するものであり、急速排気用送風装置と電動機を別途に設けずコストを低減し、さらに中間開口を開通した際に、給気用送風装置にかかる負荷を低減し、電動機の軸動力設定を通常の熱交換器を経由した状態が最適となるように合わせた場合であっても、十分な軸動力を確保することができる熱交換換気装置を提供することを目的としている。
【００１４】
また、給気用送風装置が形成する給気流の量を調整し、熱交換されていない給気流が室内側に吹き出すのを抑制し、居室内の人に与えるコールドドラフト感を軽減する熱交換換気装置を提供することを目的としている。
【課題を解決するための手段】
【００１５】
本発明の熱交換換気装置は上記目的を達成するために、屋外と連通した給気用ダクトと排気用ダクトと、この給気用ダクトと排気用ダクトに各々接続する給気用と排気用の通風接続口を有した箱状の枠体内に、給気用通風路と排気用通風路をそれぞれ独立して形成し、室内側に給気用吹き出し口と排気用吸い込み口を設け、前記給気用通風路内に給気流を形成する給気用送風装置を、前記排気用通風路内に排気流を形成する排気用送風装置とをそれぞれ設け、この給気用送風装置と排気用送風装置とが１つの電動機により駆動され、前記枠体内に給気流と排気流の間で熱交換する熱交換器を設けた熱交換換気装置であって、前記排気用通風路内に前記熱交換器を経由せずに排気用通風接続口に通じる中間開口を形成し、この中間開口の入口をシャッターにより開閉する構成とし、前記給気用吹き出し口から前記給気用通風接続口までの風路間にダンパーを設けた構成とし、前記ダンパーによって前記給気用通風路の通風面積を調整する構成としたものである。
【００１６】
この手段により、急速排気用送風装置と電動機を別途に設けずコストを低減し、さらに中間開口を開通した際に、ダンパーによって給気用通風路の通風面積を調整することで、給気用送風装置にかかる負荷を低減し、電動機の軸動力設定を通常の熱交換器を経由した状態が最適となるように合わせた場合であっても、十分な軸動力を確保することができる熱交換換気装置が得られる。
【００１７】
また、ダンパーによって給気用通風路の通風面積を調整することで、給気用送風装置が形成する給気流の量を調整し、熱交換されていない給気流が室内側に吹き出すのを抑制し、居住者に与えるコールドドラフト感を軽減する熱交換換気装置が得られる。
【００１８】
また、他の手段は、ダンパーを、板状にしてスライドさせる構成としたものである。
【００１９】
この手段により、板状のダンパーがスライドする距離によって通風面積を調整し、容易に給気流量の調整が可能で、かつ厚み方向にスペースを取らない構造をした熱交換換気装置が得られる。
【００２０】
また、他の手段は、ダンパーを、回動させる構成としたものである。
【００２１】
この手段により、ダンパーが回動する角度によって通風面積を調整し、容易に給気流量の調整が可能で、かつ流路方向以外にスペースを取らない構造をした熱交換換気装置が得られる。
【００２２】
また、他の手段は、ダンパーに、小孔を設けた構成としたものである。
【００２３】
この手段により、全閉時にも給気流が僅かに流れ、電動機の発熱を抑えることができる熱交換換気装置が得られる。
【００２４】
また、他の手段は、シャッターとダンパーが連動して動作する構成としたものである。
【００２５】
この手段により、中間開口を開放すると同時に、タイムラグを生じずに給気用送風装置にかかる負荷を低減し、十分な軸動力を確保することができる熱交換換気装置が得られる。
【００２６】
また、他の手段は、室内の煙を検知するセンサーを枠体内に設け、このセンサーの検知出力に応じて自動的にシャッターとダンパーの動作を制御するようにしたものである。
【００２７】
この手段により、室内に煙が発生した場合に、瞬時に大風量の排気を行う運転に切り替えることができる熱交換換気装置が得られる。
【００２８】
また、他の手段は、シャッターとダンパーが一定時間経過後に自動的に閉鎖する構成としたものである。
【００２９】
この手段により、室内で喫煙したときなどの大風量の排気を必要とする一時的な時間を十分経過した後に、自動的に熱交換換気運転に戻り、室内の温度変化を少なく抑えることができる熱交換換気装置が得られる。
【００３０】
また、他の手段は、排気用通風路内にシャッターを設けたものである。
【００３１】
この手段により、運転停止時に室内に排気用通風路を通じて室外の冷気が入り込むのを防止できる熱交換換気装置が得られる。
【００３２】
また、他の手段は、本体の底面に給気用吹き出し口と排気用吸い込み口を設け、これに連通する位置に給気用吹き出し口の開口と排気用吸い込み口の開口を設けた化粧パネルを取り付けた構成としたものである。
【００３３】
この手段により、意匠性の向上した熱交換換気装置が得られる。
【発明の効果】
【００３４】
本発明によれば、屋外と連通した給気用ダクトと排気用ダクトと、この給気用ダクトと排気用ダクトに各々接続する給気用と排気用の通風接続口を有した箱状の枠体内に、給気用通風路と排気用通風路をそれぞれ独立して形成し、室内側に給気用吹き出し口と排気用吸い込み口を設け、前記給気用通風路内に給気流を形成する給気用送風装置を、前記排気用通風路内に排気流を形成する排気用送風装置とをそれぞれ設け、この給気用送風装置と排気用送風装置とが１つの電動機により駆動され、前記枠体内に給気流と排気流の間で熱交換する熱交換器を設けた熱交換換気装置であって、前記排気用通風路内に前記熱交換器を経由せずに排気用通風接続口に通じる中間開口を形成し、この中間開口の入口をシャッターにより開閉する構成とし、前記給気用吹き出し口から前記給気用通風接続口までの風路間にダンパーを設けた構成とし、前記ダンパーによって前記給気用通風路の通風面積を調整する構成とすることにより、急速排気用の送風装置と電動機を別途に設けずコストを低減し、さらに中間開口を開通した際に、ダンパーによって給気用通風路の通風面積を調整することで、給気用送風装置に掛かる負荷を低減し、電動機の軸動力設定を通常の熱交換器を経由した状態が最適となるように合わせた場合であっても、十分な軸動力を確保することができる熱交換換気装置を提供できる。
【００３５】
また、ダンパーによって給気用通風路の通風面積を調整することで、給気用送風装置が形成する給気流の量を調整し、熱交換されていない給気流が室内側に吹き出すのを抑制し、居住者に与えるコールドドラフト感を軽減する熱交換換気装置を提供できる。
【００３６】
また、ダンパーを、板状にしてスライドさせる構成とすることで、板状のダンパーがスライドする距離によって通風面積を調整し、容易に給気流量の調整が可能で、かつ厚み方向にスペースを取らない構造をした熱交換換気装置を提供できる。
【００３７】
また、ダンパーを、回動させる構成とすることで、ダンパーが回動する角度によって通風面積を調整し、容易に給気流量の調整が可能で、かつ流路方向以外にスペースを取らない構造をした熱交換換気装置を提供できる。
【００３８】
また、ダンパーに小孔を設けた構成とすることで、全閉時にも給気流が僅かに流れ、電動機の発熱を抑えることができる熱交換換気装置を提供できる。
【００３９】
また、シャッターとダンパーが連動して動作する構成とすることで、中間開口を開放すると同時に、タイムラグを生じずに給気用送風装置にかかる負荷を低減し、十分な軸動力を確保することができる熱交換換気装置を提供できる。
【００４０】
また、室内の煙を検知するセンサーを枠体内に設け、このセンサーの検知出力に応じて自動的にシャッターとダンパーの動作を制御することにより、室内に煙が発生した場合に、瞬時に大風量の排気を行う運転に切り替えることができる熱交換換気装置を提供できる。
【００４１】
また、シャッターとダンパーが一定時間経過後に自動的に閉鎖する構成とすることにより、室内で喫煙したときなどの大風量の排気を必要とする一時的な時間を十分経過した後に、自動的に熱交換換気運転に戻り、室内の温度変化を少なく抑えることができる熱交換換気装置を提供できる。
【００４２】
また、排気用通風路内にシャッターを設けた構成とすることにより、運転停止時に室内に排気用通風路を通じて室外の冷気が入り込むのを防止できる熱交換換気装置を提供できる。
【００４３】
また、本体の底面に給気用吹き出し口と排気用吸い込み口を設け、これに連通する位置に給気用吹き出し口の開口と排気用吸い込み口の開口を設けた化粧パネルを取り付けた構成とすることにより、意匠性の向上した熱交換換気装置を提供できる。
【発明を実施するための最良の形態】
【００４４】
本発明の請求項１記載の熱交換換気装置は、屋外と連通した給気用ダクトと排気用ダクトと、この給気用ダクトと排気用ダクトに各々接続する給気用と排気用の通風接続口を有した箱状の枠体内に、給気用通風路と排気用通風路をそれぞれ独立して形成し、室内側に給気用吹き出し口と排気用吸い込み口を設け、前記給気用通風路内に給気流を形成する給気用送風装置を、前記排気用通風路内に排気流を形成する排気用送風装置とをそれぞれ設け、この給気用送風装置と排気用送風装置とが１つの電動機により駆動され、前記枠体内に給気流と排気流の間で熱交換する熱交換器を設けた熱交換換気装置であって、前記排気用通風路内に前記熱交換器を経由せずに排気用通風接続口に通じる中間開口を形成し、この中間開口の入口をシャッターにより開閉する構成とし、前記給気用吹き出し口から前記給気用通風接続口までの風路間にダンパーを設けた構成とし、前記ダンパーによって前記給気用通風路の通風面積を調整する構成としたものであり、急速排気用送風装置と電動機を別途に設けずコストを低減し、さらに中間開口を開通した際に、ダンパーによって給気用通風路の通風面積を調整することで、給気用送風装置に掛かる負荷を低減し、電動機の軸動力設定を通常の熱交換器を経由した状態が最適となるように合わせた場合であっても、十分な軸動力を確保することができるものである。また、ダンパーによって給気用通風路の通風面積を調整することで、給気用送風装置が形成する給気流の量を調整し、熱交換されていない給気流が室内側に吹き出すのを抑制し、居室内の人に与えるコールドドラフト感を軽減する作用を有する。
【００４５】
また、請求項２記載の熱交換換気装置は、ダンパーを、板状にしてスライドさせる構成を特徴としたものであり、板状のダンパーがスライドする距離によって通風面積を調整し、容易に給気流量の調整が可能で、かつ厚み方向にスペースを取らない構造にすることができる。
【００４６】
また、請求項３記載の熱交換換気装置は、ダンパーを、回動させる構成を特徴としたものであり、ダンパーが回動する角度によって通風面積を調整し、容易に給気流量の調整が可能で、かつ流路方向以外にスペースを取らない構造にすることができる。
【００４７】
また、請求項４記載の熱熱交換換気装置は、ダンパーに、小孔を設けた構成を特徴としたもので、全閉時にも給気流が僅かに流れ、電動機の発熱を抑えることができるという作用を有する。
【００４８】
また、請求項５記載の熱交換換気装置は、シャッターとダンパーが連動して動作する構成としたもので、中間開口を開放すると同時に、タイムラグを生じずに給気用送風装置にかかる負荷を低減し、十分な軸動力を確保することができる。
【００４９】
また、請求項６記載の熱交換換気装置は、室内の煙を検知するセンサーを枠体内に設け、このセンサーの検知出力に応じて自動的にシャッターとダンパーの動作を制御するもので、室内に煙が発生した場合に、瞬時に大風量の排気を行う運転に切り替えることができる。
【００５０】
また、請求項７記載の熱交換換気装置は、シャッターとダンパーが連動して一定時間経過後に自動的に閉鎖する構成としたもので、室内で喫煙したときなどの大風量の排気を必要とする一時的な時間を十分経過した後に自動的に熱交換換気運転に戻り、室内の温度変化を少なく抑えることができる。
【００５１】
また、請求項８記載の熱交換換気装置は、排気用通風路内にシャッターを設けたもので、運転停止時に室内に排気用通風路を通じて室外の冷気が入り込むのを防止できる作用を有する。
【００５２】
また、請求項９記載の熱交換換気装置は、本体の底面に給気用吹き出し口と排気用吸い込み口を設け、これに連通する位置に給気用吹き出し口の開口と排気用吸い込み口の開口を設けた化粧パネルを取り付けたもので、意匠性を向上させることができる。
【００５３】
以下、本発明の実施の形態について図面を参照しながら説明する。
【００５４】
（実施の形態１）
図１に示すように、屋外と連通した給気用ダクト２と排気用ダクト３と、この給気用ダクト２と排気用ダクト３に各々接続する給気用の通風接続口１ａと排気用の通風接続口１ｂを有した箱状の枠体１内に、給気用通風路４と排気用通風路５をそれぞれ独立して形成し、室内側に給気用吹き出し口９と排気用吸い込み口１０を設け、給気用通風路４内に給気流を形成する給気用送風装置６を、排気用通風路５内に排気流を形成する排気用送風装置７とをそれぞれ設け、この給気用送風装置６と排気用送風装置７とが１つの電動機８により駆動され、枠体１内に給気流と排気流の間で熱交換する熱交換器１１を設けた熱交換換気装置であって、排気用通風路５内に熱交換器１１を経由せずに排気用の通風接続口１ｂに通じる中間開口１２を形成し、この中間開口１２の入口をシャッター１３により開閉する構成とし、給気用吹き出し口９から給気用の通風接続口１ａまでの風路間にダンパー１４を設けた構成とし、前記ダンパー１４によって前記給気用通風路４の通風面積を調整する構成とする。
【００５５】
そして、電動機８を運転すると、排気用送風装置７が運転し、排気用吸い込み口１０より室内の熱気を含む空気が取り入れられ、熱交換器１１を通るときに熱分が蓄積され、排気用送風装置７を通って排気用ダクト３を通り屋外に排出され、一方、排気用送風装置７が運転すると同時に給気用送風装置６が運転し、屋外の空気が給気用ダクト２から給気され、給気用送風装置６を通り、熱交換器１１を通るときに熱交換器１１に蓄積された熱分を回収し、給気用吹き出し口９より室内に取り入れられる。また、開閉装置１６を用いてシャッター１３を動作させ、中間開口１２を開放すると、室内の空気が中間開口１２より熱交換器１１の圧力損失を伴わずに取り入れられ、排気用送風装置７を通って排気用ダクト３を通り屋外へ排出される。このとき、ダンパー１４によって給気用通風路４の通風面積を調整することができる。
【００５６】
このように、本発明の実施の形態１の熱交換換気装置によれば、急速排気用の送風装置と電動機を別途に設けずコストを低減し、さらに中間開口１２を開通した際に、ダンパー１４によって給気用通風路４の通風面積を調整することで、給気用送風装置６に掛かる負荷を低減し、電動機８の軸動力設定を通常の熱交換器１１を経由した状態が最適となるように合わせた場合であっても、十分な軸動力を確保することができるものである。また、ダンパー１４によって給気用通風路４の通風面積を調整することで、給気用送風装置６が形成する給気流の量を調整し、熱交換されていない給気流が室内側に吹き出すのを抑制し、居室内の人に与えるコールドドラフト感を軽減することができる。
【００５７】
また、ダンパー１４を回動させる構成とすることで、ダンパーが回動する角度によって通風面積を調整し、容易に給気流量の調整が可能で、かつ流路方向以外にスペースを取らない構造にすることができる。
【００５８】
（実施の形態２）
図２に示すように、ダンパー１５を板状にしてスライドさせる構成とする。
【００５９】
上記構成において、板状のダンパー１５がスライドする距離によって通風面積を調整し、容易に給気流量の調整が可能で、かつ厚み方向にスペースを取らない構造にすることができる。
【００６０】
また、シャッター１３とダンパー１５が連動して動作する構成とすることで、中間開口１２を開放すると同時に、タイムラグを生じずに給気用送風装置６にかかる負荷を低減し、十分な軸動力を確保することができる。
【００６１】
また、室内の煙を検知するセンサー１７を枠体１内に設け、このセンサー１７の検知出力に応じて自動的にシャッター１３とダンパー１５の動作を制御する構成とすることで、室内に煙が発生した場合に、瞬時に大風量の排気を行う運転に切り替えることができる。
【００６２】
また、シャッター１３とダンパー１５が一定時間経過後に自動的に閉鎖する構成とすることで、室内で喫煙したときなどの大風量の排気を必要とする一時的な時間を十分経過した後に、自動的に熱交換換気運転に戻り、室内の温度変化を少なく抑えることができる。
【００６３】
また、排気用通風路内にシャッター１９を設けたことで、運転停止時に室内に排気用通風路を通じて室外の冷気が入り込むのを防止できる。
【００６４】
（実施の形態３）
図３に示すように、ダンパー１４に小孔１４ａを設けた構成とする。
【００６５】
上記構成において、全閉時にも給気流が僅かに流れ、電動機の発熱を抑えることができる。
【００６６】
（実施の形態４）
図４に示すように、本体の底面に給気用吹き出し口と排気用吸い込み口を設け、これに連通する位置に給気用吹き出し口の開口１８ａと排気用吸い込み口の開口１８ｂを設けた化粧パネル１８を取り付けたものである。
【００６７】
上記構成において、意匠性を向上させることができる。
【産業上の利用可能性】
【００６８】
本発明にかかる熱交換換気装置は、２つの送風路のいずれか一方に流路面積を調整するダンパーを設ける構造によって、１つの電動機で２つの送風装置を形成する送風機器等に適用できる。
【図面の簡単な説明】
【００６９】
【図１】本発明の実施の形態１の熱交換換気装置を示す構成図
【図２】本発明の実施の形態２の熱交換換気装置を示す構成図
【図３】本発明の実施の形態３の熱交換換気装置のダンパーの小孔を示す斜視図
【図４】本発明の実施の形態４の熱交換換気装置の化粧パネルを示す斜視図
【図５】従来の熱交換換気装置の構成図
【図６】同熱交換換気装置の構成図
【図７】同熱交換換気装置の別形態での構成図
【符号の説明】
【００７０】
１      枠体
１ａ    通風接続口
１ｂ    通風接続口
２      給気用ダクト
３      排気用ダクト
４      給気用通風路
５      排気用通風路
６      給気用送風装置
７      排気用送風装置
８      電動機
９      給気用吹き出し口
１０    排気用吸い込み口
１１    熱交換器
１２    中間開口
１３    シャッター
１４    ダンパー
１４ａ  小孔
１５    ダンパー
１７    センサー
１８    化粧パネル
１８ａ  開口
１８ｂ  開口
１９    シャッター
【図１】
2007278565.tif 000003
【図２】
2007278565.tif 000004
【図３】
2007278565.tif 000005
【図４】
2007278565.tif 000006
【図５】
2007278565.tif 000007
【図６】
2007278565.tif 000008
【図７】
2007278565.tif 000009